(57)【要約】      （修正有）【課題】改良された２Ｄ／３Ｄ映像切換表示装置の構造を提供する。【解決手段】改良された２Ｄ／３Ｄ映像切換表示装置の構造は、映像表示ユニット１と、映像表示ユニットの表面に設けられる映像切換ユニット２とを備え、映像切換ユニット２は、第１基板２１と、第２基板２２と、エレクトロクロミズムユニット２３とを備え、第１基板上第１導電素子２１１と第２基板上第２導電素子２２１により、第１エレクトロクロミズム層２３１及び第２エレクトロクロミズム層２３２を構成する。これにより、映像表示ユニット１が、平面映像を立体映像に変換しようとする場合には、上記各エレクトロクロミズム層２３１、２３２は、深色化した遮光状態になることによって、優れる遮光効果を得、右眼用映像と左眼用映像に分けた立体映像を肉眼で視認した時、干渉波を生じることなく、視差バリア装置なしで、立体映像を表示させることができる。【選択図】図１
2012078767.tif 000002
【特許請求の範囲】
【請求項１】
平面映像と立体映像の表示に用いる映像表示ユニットと、前記映像表示ユニットの表面に設けられる映像切換ユニットと、を備える２Ｄ／３Ｄ映像切換表示装置の構造であって、
前記映像切換ユニットは、
表面には第１導電素子が設けられる第１基板と、
一方の表面には前記第１導電素子に対応する第２導電素子が設けられ、前記映像表示ユニットの表面に接合するために用いられる他方の表面を有する第２基板と、
前記第１導電素子と前記第２導電素子との間に設けられ、第１エレクトロクロミズム層と、第２エレクトロクロミズム層と、を有するエレクトロクロミズムユニットと、
を備え、
前記第１エレクトロクロミズム層は、前記第２エレクトロクロミズム層の垂直方向に沿って積層されており、前記各エレクトロクロミズム層は、前記各導電素子の電位の変化によって色変化することを特徴とする、改良された２Ｄ／３Ｄ映像切換表示装置の構造。
【請求項２】
前記映像表示ユニットは、液晶ディスプレー（Ｌｉｑｕｉｄ  Ｃｒｙｓｔａｌ  Ｄｉｓｐｌａｙ，ＬＣＤ）、プラズマディスプレー板（Ｐｌａｓｍａ  Ｄｉｓｐｌａｙ  Ｐａｎｅｌ，ＰＤＰ）、表面伝導型電子放出素子ディスプレイ（Ｓｕｒｆａｃｅ  ｃｏｎｄｕｃｔｉｏｎ  Ｅｌｅｃｔｒｏｎ−ｅｍｉｔｔｅｒ  Ｄｉｓｐｌａｙ，ＳＥＤ）、電界放出ディスプレイ（Ｆｉｅｌｄ  Ｅｍｉｓｓｉｏｎ  Ｄｉｓｐｌａｙ，ＦＥＤ）、蛍光表示管（Ｖａｃｕｕｍ  Ｆｌｕｏｒｅｓｃｅｎｔ  Ｄｉｓｐｌａｙ，ＶＦＤ）、有機ＥＬディスプレイ（Ｏｒｇａｎｉｃ  Ｌｉｇｈｔ−Ｅｍｉｔｔｉｎｇ  Ｄｉｏｄｅ，ＯＬＥＤ）、電子ペーパー（Ｅ−Ｐａｐｅｒ）の何れか１種であることをことを特徴とする、請求項１に記載の改良された２Ｄ／３Ｄ映像切換表示装置の構造。
【請求項３】
前記第１基板と前記第２基板の材質は、ガラス、若しくは樹脂、ポリエチレンテレフタラート（Ｐｏｌｙｅｔｈｙｌｅｎｅ  Ｔｅｒｅｐｈｔｈａｌａｔｅ，ＰＥＴ）、ポリカーボネート（Ｐｏｌｙ  Ｃａｒｂｏｎａｔｅ，ＰＣ）、ポリエチレン（ｐｏｌｙｅｔｈｙｌｅｎｅ，ＰＥ）、ポリ塩化ビニル（Ｐｏｌｙ  Ｖｉｎｙｌ  Ｃｈｌｏｒｉｄｅ，ＰＶＣ）、ポリプロピレン（Ｐｏｌｙ  Ｐｒｏｐｙｌｅｎｅ，ＰＰ）、ポリスチレン（Ｐｏｌｙ  Ｓｔｙｒｅｎｅ，ＰＳ）、ポリメタクリル酸メチル（Ｐｏｌｙｍｅｔｈｙｌｍｅｔｈａｃｒｙｌａｔｅ，ＰＭＭＡ）からなる群から選ばれる何れか１種又は２種以上を混合させたプラスチック重合体であることを特徴とする、請求項１に記載の改良された２Ｄ／３Ｄ映像切換表示装置の構造。
【請求項４】
前記第１導電素子と前記第２導電素子の材質は、インジウム錫酸化物（Ｉｎｄｉｕｍ  Ｔｉｎ  Ｏｘｉｄｅ，ＩＴＯ）、インジウム亜鉛酸化物（Ｉｎｄｉｕｍ  Ｚｉｎｃ  Ｏｘｉｄｅ，ＩＺＯ）、アルミニウム亜鉛酸化物（Ａｌ−ｄｏｐｅｄ  ＺｎＯ，ＡＺＯ）、アンチモン錫酸化物（Ａｎｔｉｍｏｎｙ  Ｔｉｎ  Ｏｘｉｄｅ，ＡＴＯ）からなる不純物ドープ酸化物（Ｉｍｐｕｒｉｔｙ−Ｄｏｐｅｄ  Ｏｘｉｄｅｓ）の群から選ばれる何れか１種の不純物ドープ酸化物（であることを特徴とする、請求項１に記載の改良された２Ｄ／３Ｄ映像切換表示装置の構造。
【請求項５】
前記第１導電素子と前記第２導電素子の材質は、カーボンナノチューブ（ｃａｒｂｏｎ  ｎａｎｏｔｕｂｅ）であることを特徴とする、請求項１に記載の改良された２Ｄ／３Ｄ映像切換表示装置の構造。
【請求項６】
前記第１導電素子が片状部材であり、所定間隔で複数に配列された前記第２導電素子が縞状部材であることを特徴とする、請求項１に記載の改良された２Ｄ／３Ｄ映像切換表示装置の構造。
【請求項７】
前記第２導電素子が片状部材であり、所定間隔で複数に配列された前記第１導電素子が縞状部材であることを特徴とする、請求項１に記載の改良された２Ｄ／３Ｄ映像切換表示装置の構造。
【請求項８】
それぞれに所定間隔を隔てて順次交互に配列された前記第１導電素子及び前記第２導電素子が、縞状部材であることを特徴とする、請求項１に記載の改良された２Ｄ／３Ｄ映像切換表示装置の構造。
【請求項９】
前記第１エレクトロクロミズム層及び前記第２エレクトロクロミズム層の表面には、それぞれ接触面積を増加させる延伸部が設けられ、前記第１エレクトロクロミズム層及び前記第２エレクトロクロミズム層のそれぞれの該延伸部が互いに対して係合するように配置されることを特徴とする、請求項１に記載の改良された２Ｄ／３Ｄ映像切換表示装置の構造。
【請求項１０】
所定間隔おきに配置された前記各エレクトロクロミズム層とエレクトロクロミズム層との間には、更に隔壁部を有することを特徴とする、請求項１に記載の改良された２Ｄ／３Ｄ映像切換表示装置の構造。
【請求項１１】
前記隔壁部は、フォトレジストであることを特徴とする、請求項１０に記載の改良された２Ｄ／３Ｄ映像切換表示装置の構造。
【請求項１２】
前記第１エレクトロクロミズム層の材質は、酸化クロム（Ｃｒ2Ｏ3）、酸化ニッケル（ＮｉＯx）、酸化イリジウム（ＩｒＯ2）、酸化マンガン（ＭｎＯ2）、水酸化ニッケル（Ｎｉ（ＯＨ）2）、五酸化二タンタル（Ｔａ2Ｏ5）、ヘキサシアノ鉄（ＩＩ）酸鉄（ＩＩＩ）（Ｆｅ4［Ｆｅ（ＣＮ）6］3）からなる陽極着色材料（ａｎｏｄｉｃ  ｃｏｌｏｒａｔｉｏｎ）の遷移金属酸化物の群から選ばれる何れか１種の遷移金属酸化物であり、且つ前記第２エレクトロクロミズム層の材質は、酸化タングステン（ＷＯ3）、酸化モリブデン（ＭｏＯ3）、酸化ニオブ（Ｎｂ2Ｏ3）、酸化チタン（ＴｉＯ2）、チタン酸ストロンチウム（ＳｒＴｉＯ3）、五酸化二タンタル（Ｔａ2Ｏ5）からなる陰極着色（ｃａｔｈｏｄｉｃ  ｃｏｌｏｒａｔｉｏｎ）材料の遷移金属酸化物の群から選ばれる何れか１種の遷移金属酸化物であることを特徴とする、請求項１に記載の改良された２Ｄ／３Ｄ映像切換表示装置の構造。
【請求項１３】
前記第２エレクトロクロミズム層の材質は、酸化クロム（Ｃｒ2Ｏ3）、酸化ニッケル（ＮｉＯx）、酸化イリジウム（ＩｒＯ2）、酸化マンガン（ＭｎＯ2）、水酸化ニッケル（Ｎｉ（ＯＨ）2）、五酸化二タンタル（Ｔａ2Ｏ5）、ヘキサシアノ鉄（ＩＩ）酸鉄（ＩＩＩ）（Ｆｅ4［Ｆｅ（ＣＮ）6］3）からなる陽極着色（ａｎｏｄｉｃ  ｃｏｌｏｒａｔｉｏｎ）材料の遷移金属酸化物の群から選ばれる何れか１種の遷移金属酸化物であり、且つ前記第１エレクトロクロミズム層の材質は、酸化タングステン（ＷＯ3）、酸化モリブデン（ＭｏＯ3）、酸化ニオブ（Ｎｂ2Ｏ3）、酸化チタン（ＴｉＯ2）、チタン酸ストロンチウム（ＳｒＴｉＯ3）、五酸化二タンタル（Ｔａ2Ｏ5）からなる陰極着色（ｃａｔｈｏｄｉｃ  ｃｏｌｏｒａｔｉｏｎ）材料の遷移金属酸化物の群から選ばれる何れか１種の遷移金属酸化物であることを特徴とする、請求項１に記載の改良された２Ｄ／３Ｄ映像切換表示装置の構造。
【請求項１４】
前記第１エレクトロクロミズム層及び前記第２エレクトロクロミズム層の材質は、二酸化二バナジウム（Ｖ2Ｏ2）、酸化ロジウム（Ｒｈ2Ｏ3）、酸化コバルト（ＣｏＯx）からなる陽極／陰極着色（ａｎｏｄｉｃ  ／  ｃａｔｈｏｄｉｃ  ｃｏｌｏｒａｔｉｏｎ）材料の遷移金属酸化物の群から選ばれる何れか１種の遷移金属酸化物であることを特徴とする、請求項１に記載の改良された２Ｄ／３Ｄ映像切換表示装置の構造。
【請求項１５】
平面映像と立体映像の表示に用いる映像表示ユニットと、前記映像表示ユニットの表面に設けられる映像切換ユニットと、を備える２Ｄ／３Ｄ映像切換表示装置の構造であって、
前記映像切換ユニットは、
表面には所定間隔で複数に配列された第１導電素子が設けられる第１基板と、
一方の表面には所定間隔で複数に配列された第２導電素子が設けられ、前記映像表示ユニットの表面に接合するために用いられる他方の表面を有する第２基板と、
前記第１導電素子と前記第２導電素子との間に設けられ、第１エレクトロクロミズム層と、第２エレクトロクロミズム層と、を有するエレクトロクロミズムユニットと、
を備え、
前記第１エレクトロクロミズム層及び前記第２エレクトロクロミズム層が、所定間隔を隔てて順次交互に配置されており、前記各エレクトロクロミズム層は、前記各導電素子の電位の変化によって色変化することを特徴とする、改良された２Ｄ／３Ｄ映像切換表示装置の構造。
【請求項１６】
前記映像表示ユニットは、液晶ディスプレー（Ｌｉｑｕｉｄ  Ｃｒｙｓｔａｌ  Ｄｉｓｐｌａｙ，ＬＣＤ）、プラズマディスプレー板（Ｐｌａｓｍａ  Ｄｉｓｐｌａｙ  Ｐａｎｅｌ，ＰＤＰ）、表面伝導型電子放出素子ディスプレイ（Ｓｕｒｆａｃｅ  ｃｏｎｄｕｃｔｉｏｎ  Ｅｌｅｃｔｒｏｎ−ｅｍｉｔｔｅｒ  Ｄｉｓｐｌａｙ，ＳＥＤ）、電界放出ディスプレイ（Ｆｉｅｌｄ  Ｅｍｉｓｓｉｏｎ  Ｄｉｓｐｌａｙ，ＦＥＤ）、蛍光表示管（Ｖａｃｕｕｍ  Ｆｌｕｏｒｅｓｃｅｎｔ  Ｄｉｓｐｌａｙ，ＶＦＤ）、有機ＥＬディスプレイ（Ｏｒｇａｎｉｃ  Ｌｉｇｈｔ−Ｅｍｉｔｔｉｎｇ  Ｄｉｏｄｅ，ＯＬＥＤ）、電子ペーパー（Ｅ−Ｐａｐｅｒ）の何れか１種であることをことを特徴とする、請求項１５に記載の改良された２Ｄ／３Ｄ映像切換表示装置の構造。
【請求項１７】
前記第１基板と前記第２基板の材質は、ガラス、若しくは樹脂、ポリエチレンテレフタラート（Ｐｏｌｙｅｔｈｙｌｅｎｅ  Ｔｅｒｅｐｈｔｈａｌａｔｅ，ＰＥＴ）、ポリカーボネート（Ｐｏｌｙ  Ｃａｒｂｏｎａｔｅ，ＰＣ）、ポリエチレン（ｐｏｌｙｅｔｈｙｌｅｎｅ，ＰＥ）、ポリ塩化ビニル（Ｐｏｌｙ  Ｖｉｎｙｌ  Ｃｈｌｏｒｉｄｅ，ＰＶＣ）、ポリプロピレン（Ｐｏｌｙ  Ｐｒｏｐｙｌｅｎｅ，ＰＰ）、ポリスチレン（Ｐｏｌｙ  Ｓｔｙｒｅｎｅ，ＰＳ）、ポリメタクリル酸メチル（Ｐｏｌｙｍｅｔｈｙｌｍｅｔｈａｃｒｙｌａｔｅ，ＰＭＭＡ）からなる群から選ばれる何れか１種又は２種以上を混合させたプラスチック重合体であることを特徴とする、請求項１５に記載の改良された２Ｄ／３Ｄ映像切換表示装置の構造。
【請求項１８】
前記第１導電素子と前記第２導電素子の材質は、インジウム錫酸化物（Ｉｎｄｉｕｍ  Ｔｉｎ  Ｏｘｉｄｅ，ＩＴＯ）、インジウム亜鉛酸化物（Ｉｎｄｉｕｍ  Ｚｉｎｃ  Ｏｘｉｄｅ，ＩＺＯ）、アルミニウム亜鉛酸化物（Ａｌ−ｄｏｐｅｄ  ＺｎＯ，ＡＺＯ）、アンチモン錫酸化物（Ａｎｔｉｍｏｎｙ  Ｔｉｎ  Ｏｘｉｄｅ，ＡＴＯ）からなる不純物ドープ酸化物（Ｉｍｐｕｒｉｔｙ−Ｄｏｐｅｄ  Ｏｘｉｄｅｓ）の群から選ばれる何れか１種の不純物ドープ酸化物であることを特徴とする、請求項１５に記載の改良された２Ｄ／３Ｄ映像切換表示装置の構造。
【請求項１９】
前記第１導電素子と前記第２導電素子の材質は、カーボンナノチューブ（ｃａｒｂｏｎ  ｎａｎｏｔｕｂｅ）であることを特徴とする、請求項１５に記載の改良された２Ｄ／３Ｄ映像切換表示装置の構造。
【請求項２０】
それぞれに所定間隔を隔てて順次交互に配列された前記第１導電素子及び前記第２導電素子が、縞状部材であることを特徴とする、請求項１５に記載の改良された２Ｄ／３Ｄ映像切換表示装置の構造。
【請求項２１】
前記第１エレクトロクロミズム層及び前記第２エレクトロクロミズム層が水平に並列配置されることを特徴とする、請求項１５に記載の改良された２Ｄ／３Ｄ映像切換表示装置の構造。
【請求項２２】
前記第１エレクトロクロミズム層及び前記第２エレクトロクロミズム層の表面には、それぞれ接触面積を増加させる延伸部が設けられ、前記第１エレクトロクロミズム層及び前記第２エレクトロクロミズム層のそれぞれの該延伸部が互いに対して係合するように配置されることを特徴とする、請求項１５に記載の改良された２Ｄ／３Ｄ映像切換表示装置の構造。
【請求項２３】
所定間隔を隔てて順次交互に配置された前記各エレクトロクロミズム層とエレクトロクロミズム層との間には、更に隔壁部を有することを特徴とする、請求項１５に記載の改良された２Ｄ／３Ｄ映像切換表示装置の構造。
【請求項２４】
前記隔壁部は、フォトレジストであることを特徴とする、請求項２３に記載の改良された２Ｄ／３Ｄ映像切換表示装置の構造。
【請求項２５】
前記第１エレクトロクロミズム層の材質は、酸化クロム（Ｃｒ2Ｏ3）、酸化ニッケル（ＮｉＯx）、酸化イリジウム（ＩｒＯ2）、酸化マンガン（ＭｎＯ2）、水酸化ニッケル（Ｎｉ（ＯＨ）2）、五酸化二タンタル（Ｔａ2Ｏ5）、ヘキサシアノ鉄（ＩＩ）酸鉄（ＩＩＩ）（Ｆｅ4［Ｆｅ（ＣＮ）6］3）からなる陽極着色（ａｎｏｄｉｃ  ｃｏｌｏｒａｔｉｏｎ）材料の遷移金属酸化物の群から選ばれる何れか１種の遷移金属酸化物であり、且つ前記第２エレクトロクロミズム層の材質は、酸化タングステン（ＷＯ3）、酸化モリブデン（ＭｏＯ3）、酸化ニオブ（Ｎｂ2Ｏ3）、酸化チタン（ＴｉＯ2）、チタン酸ストロンチウム（ＳｒＴｉＯ3）、五酸化二タンタル（Ｔａ2Ｏ5）からなる陰極着色（ｃａｔｈｏｄｉｃ  ｃｏｌｏｒａｔｉｏｎ）材料の遷移金属酸化物の群から選ばれる何れか１種の遷移金属酸化物であることを特徴とする、請求項１５に記載の改良された２Ｄ／３Ｄ映像切換表示装置の構造。
【請求項２６】
前記第２エレクトロクロミズム層の材質は、酸化クロム（Ｃｒ2Ｏ3）、酸化ニッケル（ＮｉＯx）、酸化イリジウム（ＩｒＯ2）、酸化マンガン（ＭｎＯ2）、水酸化ニッケル（Ｎｉ（ＯＨ）2）、五酸化二タンタル（Ｔａ2Ｏ5）、ヘキサシアノ鉄（ＩＩ）酸鉄（ＩＩＩ）（Ｆｅ4［Ｆｅ（ＣＮ）6］3）からなる陽極着色（ａｎｏｄｉｃ  ｃｏｌｏｒａｔｉｏｎ）材料の遷移金属酸化物の群から選ばれる何れか１種の遷移金属酸化物であり、且つ前記第１エレクトロクロミズム層の材質は、酸化タングステン（ＷＯ3）、酸化モリブデン（ＭｏＯ3）、酸化ニオブ（Ｎｂ2Ｏ3）、酸化チタン（ＴｉＯ2）、チタン酸ストロンチウム（ＳｒＴｉＯ3）、五酸化二タンタル（Ｔａ2Ｏ5）からなる陰極着色（ｃａｔｈｏｄｉｃ  ｃｏｌｏｒａｔｉｏｎ）材料の遷移金属酸化物の群から選ばれる何れか１種の遷移金属酸化物であることを特徴とする、請求項１５に記載の改良された２Ｄ／３Ｄ映像切換表示装置の構造。
【請求項２７】
前記第１エレクトロクロミズム層及び前記第２エレクトロクロミズム層の材質は、二酸化二バナジウム（Ｖ2Ｏ2）、酸化ロジウム（Ｒｈ2Ｏ3）、酸化コバルト（ＣｏＯx）からなる陽極／陰極着色（ａｎｏｄｉｃ  ／  ｃａｔｈｏｄｉｃ  ｃｏｌｏｒａｔｉｏｎ）材料の遷移金属酸化物の群から選ばれる何れか１種の遷移金属酸化物であることを特徴とする、請求項１５に記載の改良された２Ｄ／３Ｄ映像切換表示装置の構造。
【請求項２８】
平面映像と立体映像の表示に用いる映像表示ユニットと、前記映像表示ユニットの表面に設けられる映像切換ユニットと、を備える２Ｄ／３Ｄ映像切換表示装置の構造であって、
前記映像切換ユニットは、
第１基板と、
一方の表面には前記第１基板に対応するための所定間隔を隔てて順次交互に配列された第３導電素子及び前記第４導電素子が設けられ、前記映像表示ユニットの表面に接合するために用いられる他方の表面を有する第３基板と、
前記第３導電素子と前記第４導電素子との間に設けられ、第１エレクトロクロミズム層と、第２エレクトロクロミズム層と、を有するエレクトロクロミズムユニットと、
を備え、
前記第１エレクトロクロミズム層の一側面及び前記第２エレクトロクロミズム層の一側面が、所定間隔を隔てて順次交互に配置されており、前記第１エレクトロクロミズム層の他の側面が、前記第３導電素子に接合するために用いられ、前記第２エレクトロクロミズム層の他の側面が、前記第４導電素子に接合するために用いられ、前記各エレクトロクロミズム層は、前記各導電素子の電位の変化によって色変化することを特徴とする、改良された２Ｄ／３Ｄ映像切換表示装置の構造。
【請求項２９】
前記映像表示ユニットは、液晶ディスプレー（Ｌｉｑｕｉｄ  Ｃｒｙｓｔａｌ  Ｄｉｓｐｌａｙ，ＬＣＤ）、プラズマディスプレー板（Ｐｌａｓｍａ  Ｄｉｓｐｌａｙ  Ｐａｎｅｌ，ＰＤＰ）、表面伝導型電子放出素子ディスプレイ（Ｓｕｒｆａｃｅ  ｃｏｎｄｕｃｔｉｏｎ  Ｅｌｅｃｔｒｏｎ−ｅｍｉｔｔｅｒ  Ｄｉｓｐｌａｙ，ＳＥＤ）、電界放出ディスプレイ（Ｆｉｅｌｄ  Ｅｍｉｓｓｉｏｎ  Ｄｉｓｐｌａｙ，ＦＥＤ）、蛍光表示管（Ｖａｃｕｕｍ  Ｆｌｕｏｒｅｓｃｅｎｔ  Ｄｉｓｐｌａｙ，ＶＦＤ）、有機ＥＬディスプレイ（Ｏｒｇａｎｉｃ  Ｌｉｇｈｔ−Ｅｍｉｔｔｉｎｇ  Ｄｉｏｄｅ，ＯＬＥＤ）、電子ペーパー（Ｅ−Ｐａｐｅｒ）の何れか１種であることをことを特徴とする、請求項２８に記載の改良された２Ｄ／３Ｄ映像切換表示装置の構造。
【請求項３０】
前記第１基板と前記第３基板の材質は、ガラス、若しくは樹脂、ポリエチレンテレフタラート（Ｐｏｌｙｅｔｈｙｌｅｎｅ  Ｔｅｒｅｐｈｔｈａｌａｔｅ，ＰＥＴ）、ポリカーボネート（Ｐｏｌｙ  Ｃａｒｂｏｎａｔｅ，ＰＣ）、ポリエチレン（ｐｏｌｙｅｔｈｙｌｅｎｅ，ＰＥ）、ポリ塩化ビニル（Ｐｏｌｙ  Ｖｉｎｙｌ  Ｃｈｌｏｒｉｄｅ，ＰＶＣ）、ポリプロピレン（Ｐｏｌｙ  Ｐｒｏｐｙｌｅｎｅ，ＰＰ）、ポリスチレン（Ｐｏｌｙ  Ｓｔｙｒｅｎｅ，ＰＳ）、ポリメタクリル酸メチル（Ｐｏｌｙｍｅｔｈｙｌｍｅｔｈａｃｒｙｌａｔｅ，ＰＭＭＡ）からなる群から選ばれる何れか１種又は２種以上を混合させたプラスチック重合体であることを特徴とする、請求項２８に記載の改良された２Ｄ／３Ｄ映像切換表示装置の構造。
【請求項３１】
前記第３導電素子と前記第４導電素子の材質は、インジウム錫酸化物（Ｉｎｄｉｕｍ  Ｔｉｎ  Ｏｘｉｄｅ，ＩＴＯ）、インジウム亜鉛酸化物（Ｉｎｄｉｕｍ  Ｚｉｎｃ  Ｏｘｉｄｅ，ＩＺＯ）、アルミニウム亜鉛酸化物（Ａｌ−ｄｏｐｅｄ  ＺｎＯ，ＡＺＯ）、アンチモン錫酸化物（Ａｎｔｉｍｏｎｙ  Ｔｉｎ  Ｏｘｉｄｅ，ＡＴＯ）からなる不純物ドープ酸化物（Ｉｍｐｕｒｉｔｙ−Ｄｏｐｅｄ  Ｏｘｉｄｅｓ）の群から選ばれる何れか１種の不純物ドープ酸化物であることを特徴とする、請求項２８に記載の改良された２Ｄ／３Ｄ映像切換表示装置の構造。
【請求項３２】
前記第３導電素子と前記第４導電素子の材質は、カーボンナノチューブ（ｃａｒｂｏｎ  ｎａｎｏｔｕｂｅ）であることを特徴とする、請求項２８に記載の改良された２Ｄ／３Ｄ映像切換表示装置の構造。
【請求項３３】
それぞれに所定間隔を隔てて順次交互に配列された前記第３導電素子及び前記第４導電素子が、縞状部材であることを特徴とする、請求項２８に記載の改良された２Ｄ／３Ｄ映像切換表示装置の構造。
【請求項３４】
前記第１エレクトロクロミズム層及び前記第２エレクトロクロミズム層の表面には、それぞれ接触面積を増加させる延伸部が設けられ、前記第１エレクトロクロミズム層及び前記第２エレクトロクロミズム層のそれぞれの該延伸部が互いに対して係合するように配置されることを特徴とする、請求項２８に記載の改良された２Ｄ／３Ｄ映像切換表示装置の構造。
【請求項３５】
前記第１エレクトロクロミズム層と前記第２エレクトロクロミズム層との係合箇所は、それぞれに前記各導電素子を越えて延出させており、これにより、前記第３基板に接触可能とすることを特徴とする、請求項２８に記載の改良された２Ｄ／３Ｄ映像切換表示装置の構造。
【請求項３６】
前記第１エレクトロクロミズム層の材質は、酸化クロム（Ｃｒ2Ｏ3）、酸化ニッケル（ＮｉＯx）、酸化イリジウム（ＩｒＯ2）、酸化マンガン（ＭｎＯ2）、水酸化ニッケル（Ｎｉ（ＯＨ）2）、五酸化二タンタル（Ｔａ2Ｏ5）、ヘキサシアノ鉄（ＩＩ）酸鉄（ＩＩＩ）（Ｆｅ4［Ｆｅ（ＣＮ）6］3）からなる陽極着色（ａｎｏｄｉｃ  ｃｏｌｏｒａｔｉｏｎ）材料の遷移金属酸化物の群から選ばれる何れか１種の遷移金属酸化物であり、且つ前記第２エレクトロクロミズム層の材質は、酸化タングステン（ＷＯ3）、酸化モリブデン（ＭｏＯ3）、酸化ニオブ（Ｎｂ2Ｏ3）、酸化チタン（ＴｉＯ2）、チタン酸ストロンチウム（ＳｒＴｉＯ3）、五酸化二タンタル（Ｔａ2Ｏ5）からなる陰極着色（ｃａｔｈｏｄｉｃ  ｃｏｌｏｒａｔｉｏｎ）材料の遷移金属酸化物の群から選ばれる何れか１種の遷移金属酸化物であることを特徴とする、請求項２８に記載の改良された２Ｄ／３Ｄ映像切換表示装置の構造。
【請求項３７】
前記第２エレクトロクロミズム層の材質は、酸化クロム（Ｃｒ2Ｏ3）、酸化ニッケル（ＮｉＯx）、酸化イリジウム（ＩｒＯ2）、酸化マンガン（ＭｎＯ2）、水酸化ニッケル（Ｎｉ（ＯＨ）2）、五酸化二タンタル（Ｔａ2Ｏ5）、ヘキサシアノ鉄（ＩＩ）酸鉄（ＩＩＩ）（Ｆｅ4［Ｆｅ（ＣＮ）6］3）からなる陽極着色（ａｎｏｄｉｃ  ｃｏｌｏｒａｔｉｏｎ）材料の遷移金属酸化物の群から選ばれる何れか１種の遷移金属酸化物であり、且つ前記第１エレクトロクロミズム層の材質は、酸化タングステン（ＷＯ3）、酸化モリブデン（ＭｏＯ3）、酸化ニオブ（Ｎｂ2Ｏ3）、酸化チタン（ＴｉＯ2）、チタン酸ストロンチウム（ＳｒＴｉＯ3）、五酸化二タンタル（Ｔａ2Ｏ5）からなる陰極着色（ｃａｔｈｏｄｉｃ  ｃｏｌｏｒａｔｉｏｎ）材料の遷移金属酸化物の群から選ばれる何れか１種の遷移金属酸化物であることを特徴とする、請求項２８に記載の改良された２Ｄ／３Ｄ映像切換表示装置の構造。
【請求項３８】
前記第１エレクトロクロミズム層及び前記第２エレクトロクロミズム層の材質は、二酸化二バナジウム（Ｖ2Ｏ2）、酸化ロジウム（Ｒｈ2Ｏ3）、酸化コバルト（ＣｏＯx）からなる陽極／陰極着色（ａｎｏｄｉｃ  ／  ｃａｔｈｏｄｉｃ  ｃｏｌｏｒａｔｉｏｎ）材料の遷移金属酸化物の群から選ばれる何れか１種の遷移金属酸化物であることを特徴とする、請求項２８に記載の改良された２Ｄ／３Ｄ映像切換表示装置の構造。
【請求項３９】
前記各エレクトロクロミズム層とエレクトロクロミズム層との間には、更に隔壁部を有することを特徴とする、請求項２８に記載の改良された２Ｄ／３Ｄ映像切換表示装置の構造。
【請求項４０】
前記隔壁部は、フォトレジストであることを特徴とする、請求項３９に記載の改良された２Ｄ／３Ｄ映像切換表示装置の構造。
【発明の詳細な説明】
【技術分野】
【０００１】
本発明は、改良された２Ｄ映像と３Ｄ映像とを切換え表示可能な表示装置の構造に関する。本発明のかかる改良された２Ｄ映像と３Ｄ映像とを切換え表示可能な表示装置は、２Ｄ映像表示状態と３Ｄ映像表示状態とを切換え（変換）でき、いずれの表示状態においても、高画質な映像を表示することができる表示装置である。
【背景技術】
【０００２】
現在、既知の立体映像表示技術において、立体映像を表示する原理としては、両眼視差（Ｂｉｎｏｃｕｌａｒ  ｄｉｓｐａｒｉｔｙ）を利用し、左右眼にてそれぞれの映像を取得して、最後に脳の中に１つの立体映像として表示する方法が知られている。眼鏡無しの立体映像表示技術が進んでいる中、これらの多くの構造は柱状レンズを用いるレンチキュラー（Ｌｅｎｔｉｃｕｌａｒ）方式と光バリア（Ｂａｒｒｉｅｒ）方式と二種類に大別される。前述した両種類の構造の長短所は次の通りである。レンチキュラー方式の場合、多数の細長い帯状凸透鏡を所定の軸方向に沿って繰り返し配列され、光学屈折の原理を用いて、表示映像を左右の映像に分離し、右眼と左眼のそれぞれに右眼用映像、左眼用映像を視認させて視差を利用し、観察者に立体映像を認識させるものである。光バリア方式に比較して、光の屈折により表示映像を左右映像に分離しているため、光の損失が少なく、高輝度といった長所の反面、光の屈折率に限界があるため、レンズ構造の辺縁部の屈折効果の低下による解像度は低下する。また、柱状レンズの製作誤差によりレンズの表面には凹凸があり、平坦ではないので、散乱迷光が生成してしまう。この場合、散乱迷光による画質の低下や、また、像の映り込み、画質のギラツキ、白ぼけ等の障害が発生して全体３Ｄ映像の表示画質も低下する。一方、光バリア方式の場合、一列に配列されたバリア物体で所定角度の光を射出して制御するように構成され、この場合、所定角度に制限した表示映像を左右の映像に分離し、右眼と左眼のそれぞれに右眼用映像、左眼用映像を視認させて視差を利用し、観察者に立体映像を認識させるものである。レンチキュラー方式に比較して、片眼に映像を投影し、その映像は、より高精細化の映像が提供されるが、先天上の構造特徴で、表示映像全体の輝度を低下させ、映像の解像度も低下する欠点を有する。
【０００３】
また、一般的な立体映像表示装置は、立体映像のみを表示させるなので、平面映像と立体映像とに自然に切換えることができない。切換えることができない原因としては、柱状レンズ（Ｌｅｎｔｉｃｕｌａｒ）と光バリア（Ｂａｒｒｉｅｒ）とが普通の表示装置の後ろに配置されるため、全ての平面映像は、その柱状レンズ（Ｌｅｎｔｉｃｕｌａｒ）或いは光バリア（Ｂａｒｒｉｅｒ）を通過し、その後、平面映像をそれぞれに右眼用映像、左眼用映像に分離してしまうためと考えられる。外付け型の立体映像表示モジュールを使用しない限り、上記の問題を解消するには難しい。この場合、立体映像を表示する必要がない時、使用した外付け型の立体映像表示モジュールを表示装置から外せば、平面映像を表示することができるが、利用に際しては、映像の解像度低下や揺れ等の問題を防ぐため、必ず実際に使用する外付け型の立体映像表示モジュールを高精度位置合わせをしなければならない。従って、上記問題点を解消するために立体映像と平面映像とを切り換えて表示することができる立体映像表示装置を開発された。例えば、台湾登録実用新案第Ｍ３７１９０２号明細書（特許文献１）、台湾登録実用新案第Ｍ３６８０８８号明細書（特許文献２）に開示された先行技術が存在する。
【０００４】
また、特許文献１に記載の２次元平面映像／３次元立体映像互換型映像表示装置では、平面表示装置と、該平面表示装置に設けられた視差バリアパネルとを備え、該視差バリアパネルは、第１エレクトロクロミズム材料層と第２エレクトロクロミズム材料層とを含むストライプ状のパターンを備える。２次元平面映像を表示する時、該ストライプ状のパターン、該第１エレクトロクロミズム材料層、該第２エレクトロクロミズム材料層のいずれも透明で、これに対して、３次元立体映像を表示する時、該ストライプ状のパターンが不透光性パターンになり、且つ該第１エレクトロクロミズム材料層は第１色彩になるとともに、該第２エレクトロクロミズム材料層は第２色彩になるように構成されている。
【０００５】
また、特許文献２に記載の整合式エレクトロクロミック２Ｄ／３Ｄ表示装置では、第１基板と、第１基板の下方に設けられた視差バリアユニットと、視差バリアユニットの下方に設けられたカラーフィルターユニットと、カラーフィルターユニットの下方に設けられた共通電極と、共通電極の下方に設けられた液晶ユニットと、液晶ユニットの下方に設けられた複数個の薄膜トランジスタと、複数個の薄膜の下方に設けられたトランジスタ第２基板と、第２基板の下方に設けられた光源とを備え、視差バリアユニットを用いて、視差を生じさせて平面映像を立体映像に切り換えるように構成され、既知の表示装置に比較して、構造全体の厚さを低減でき、材料コストおよび組立コストの低減を図れるため、製造コストを低減できる。
【０００６】
前述特許文献１、２に開示された先行技術のいずれも、エレクトロクロミズム材料を立体映像表示用視差バリア装置として使用するによって実現している。しかしながら、上記特許文献１と特許文献２に開示された技術に共通するのは、エレクトロクロミズム装置に必要な電解質層がないという構造的な欠陥が存在し、そして、エレクトロクロミズム層にイオンを供給する電解質層がないため、エレクトロクロミズム装置は可逆的に酸化・還元反応を起こさせることによって着消色する色変化をすることが不可能になるか、又は、着消色速度が非常に遅いので、実際上、実現が困難という欠点がある。また、該視差バリア装置の透明電極層とエレクトロクロミック材料層ともストライプ状のパターンに配置しており、製造工程において、各層に対して塗布、スパッタリング或いはエッチングなどの作業が行わなければならないため、各積層のいずれも高精度位置合わせが必要になって、製造プロセスが複雑になる。また、全ての積層はストライプ状のパターンに配置しているため、隣接するストライプ状の電極間には、中空領域が形成され、光線全体の透過、屈折や反射などのような特性にも著しい影響を及ぼし、一般的な２次元映像表示においても、表示装置に色差が大きい或いは輝度が不均一などの問題が起こして映像品質に影響を与えてしまう。さらに、特許文献２には、液晶表示装置の基材に組み込む構造が開示され、上記構造ではストライプ状のパターンを絶縁性透明材料の上に設ける方式を採用し、立体映像用液晶表示装置の厚さは減少するが、製造プロセスの複雑さに軽減できない。なお、前述した従来技術による立体映像を表示できる構造のいずれも多層積層構造であり、表示装置と組み合わせる時、平面映像にしろ、立体映像にしろ、先に述べたように映像全体の輝度、画質などの問題が存在している。
【先行技術文献】
【特許文献】
【０００７】
【特許文献１】台湾登録実用新案第Ｍ３７１９０２号明細書
【特許文献２】台湾登録実用新案第Ｍ３６８０８８号明細書
【発明の概要】
【発明が解決しようとする課題】
【０００８】
本発明は上記従来例の欠点に鑑みなされたものであり、本発明者らは長年にわたる刻苦勉励、鋭意研究と当該事業の経験を重ねた結果、一種の斬新的な改良された２Ｄ／３Ｄ映像切換表示装置の構造の設計を完成した。
【０００９】
そこで、本発明の目的は、２Ｄ映像と３Ｄ映像とを変換でき、いずれの表示状態においても、映像を表示することができる改良された２Ｄ／３Ｄ映像切換表示装置の構造を提供することにある。
【００１０】
本発明の別の目的は、視差バリア装置を付加せずに、２Ｄ／３Ｄ映像を表示することができる改良された２Ｄ／３Ｄ映像切換表示装置の構造を提供することにある。
【００１１】
本発明のさらに別の目的は、平面映像を表示する場合、映像解像度への影響がない改良された２Ｄ／３Ｄ映像切換表示装置の構造を提供することにある。
【００１２】
本発明のさらに別の目的は、製造プロセスが簡略化できる改良された２Ｄ／３Ｄ映像切換表示装置の構造を提供することにある。
【００１３】
本発明のさらに別の目的は、厚さを薄くさせ、透光率を向上できる改良された２Ｄ／３Ｄ映像切換表示装置の構造を提供することにある。
【課題を解決するための手段】
【００１４】
上記課題を解決するために、本発明に係わ改良された２Ｄ／３Ｄ映像切換表示装置の構造は、平面映像と立体映像の表示に用いる映像表示ユニットと、上記映像表示ユニットの表面に設けられる映像切換ユニットとを備え、且つ上記映像切換ユニットは、表面には第１導電素子が設けられる第１基板と、一方の表面には上記第１導電素子に対応する第２導電素子が設けられ、上記映像表示ユニットの表面に接合するために用いられる他方の表面を有する第２基板と、上記第１導電素子と上記第２導電素子との間に設けられ、所定間隔を隔てて順次交互に配置された第１エレクトロクロミズム層及び第２エレクトロクロミズム層を有するエレクトロクロミズムユニットとを備えるように構成され、上記各エレクトロクロミズム層は、上記各導電素子の電位の変化によって色変化することができる。また、多層積層して形成された構造に比べて、本発明の他の構造では、上記第１エレクトロクロミズム層及び第２エレクトロクロミズム層が水平に並列配置されるが可能なので、構造全体の厚さを効果的に薄くすると同時に、透光率を向上させることができる。
【発明の効果】
【００１５】
本発明によれば、上記映像表示ユニットが平面映像を表示する状態から立体映像に変換しようとする場合、表示する映像は右眼用映像と左眼用映像に分ける。この場合、上記各導電素子の電気伝導性が変化して各導電素子の間には電気的に接続している状態になったため、上記各エレクトロクロミズム層の色が透明から明から深色化した遮光領域になった。所定間隔を隔てて順次交互に配置された上記各エレクトロクロミズム層の配置状態に基づいて、右眼用映像と左眼用映像に分けた立体映像を形成する。上記各遮光領域を通過した映像は、部分的に重なった映像領域を除去したため、肉眼で視認した時、干渉波を生じないように表示することができる。さらに、一般的に、立体映像を表示する場合、上記映像表示ユニットにはレンチキュラー（Ｌｅｎｔｉｃｕｌａｒ）や光バリア（Ｂａｒｒｉｅｒ）などを付加する必要が生じる。本発明の２Ｄ／３Ｄ映像切換表示装置は、立体映像を表示する場合、上記映像表示ユニットにて右眼用映像と左眼用映像に直接に分けて、そして、先に述べた両眼視差を利用し、観察者から見た時、この両眼視差に敏感で分けた右眼用映像と左眼用映像を一つの立体映像として視認することができる。
【図面の簡単な説明】
【００１６】
【図１】本発明の第１実施形態を例示的に示す分解斜視図。
【図２】上記実施形態に係るエレクトロクロミズムユニットの使用状態を示す概略図。
【図３】上記実施形態に係る映像切換ユニットの一例の切換え状態及び構造を説明する横断面図１。
【図４】上記実施形態に係る映像切換ユニットの他の一例の切換え状態及び構造を説明する横断面図２。
【図５】上記実施形態に係る映像切換ユニットの積層構造の一例を示す横断面図１。
【図６】上記実施形態に係る映像切換ユニットの積層構造の他の一例を示す横断面図２。
【図７】上記実施形態に係る映像切換ユニットの積層構造の他の一例を示す横断面図３。
【図８】本発明の第２実施形態に係る映像切換ユニットの積層構造の一例を示す横断面図１。
【図９】本発明の第２実施形態に係る映像切換ユニットの積層構造の他の一例を示す横断面図２。
【図１０】本発明の第３実施形態を例示的に示す分解斜視図。
【図１１】上記実施形態に係る映像切換ユニットの一例の切換え状態及び構造を説明する横断面図１。
【図１２】上記実施形態に係る映像切換ユニットの他の一例の切換え状態及び構造を説明する横断面図２。
【図１３】上記実施形態に係る映像切換ユニットの積層構造の一例を示す横断面図１。
【図１４】上記実施形態に係る映像切換ユニットの積層構造の他の一例を示す横断面図２。
【図１５】本発明の第４実施形態に係る映像切換ユニットの積層構造の一例を示す横断面図１。
【図１６】上記実施形態に係る映像切換ユニットの積層構造の他の一例を示す横断面図２。
【図１７】本発明の第５実施形態を例示的に示す分解斜視図。
【図１８】上記実施形態に係る映像切換ユニットの一例の切換え状態及び構造を説明する横断面図１。
【図１９】上記実施形態に係る映像切換ユニットの他の一例の切換え状態及び構造を説明する横断面図２。
【図２０】上記実施形態に係る映像切換ユニットの積層構造の一例を示す横断面図１。
【図２１】上記実施形態に係る映像切換ユニットの積層構造の他の一例を示す横断面図２。
【図２２】本発明の第６実施形態を例示的に示す分解斜視図。
【図２３】上記実施形態に係る映像切換ユニットの一例の切換え状態及び構造を説明する横断面図１。
【図２４】上記実施形態に係る映像切換ユニットの他の一例の切換え状態及び構造を説明する横断面図２。
【図２５】上記実施形態に係る映像切換ユニットの積層構造の一例を示す横断面図１。
【図２６】上記実施形態に係る映像切換ユニットの積層構造の他の一例を示す横断面図２。
【発明を実施するための形態】
【００１７】
本発明の内容をより完全に理解するために、以下、本発明の実施形態を添付図面を参照して説明する。
【００１８】
（第１実施形態）
本発明の第１実施形態による２Ｄ／３Ｄ映像切換表示装置の構造を図１乃至図４を参照して説明する。図１は、本実施形態の２Ｄ／３Ｄ映像切換表示装置の構造の分解斜視図である。図２は、本実施形態に係るエレクトロクロミズムユニットの使用状態を示す概略図である。図３は、本実施形態に係る映像切換ユニットの一例の切換え状態及び構造を説明する横断面図１である。図４は、本実施形態に係る映像切換ユニットの一例の切換え状態及び構造を説明する横断面図２である。本実施形態の２Ｄ／３Ｄ映像切換表示装置の構造は、映像表示ユニット１と、映像切換ユニット２とを備えている。
【００１９】
映像表示ユニット１は、平面映像と立体映像を表示するに用いられており、表示した立体映像は、ソフトウェア、ファームウェア、ハードウェアいずれの技術でも形成することができ、例えばソフトウェアやファームウェアなどを使用して平面映像を右眼用映像と左眼用映像に分けた基準映像と重複部分があるエイリアシング映像に変換することができるし、又はレンチキュラー（Ｌｅｎｔｉｃｕｌａｒ）や光バリア（Ｂａｒｒｉｅｒ）などのハードウェア装置を利用して平面映像を右眼用映像と左眼用映像に分けることもできる。しかし、このような立体映像表示技術は、既に開示された技術であり、本発明の技術特徴ではないため、ここでの説明は省略する。映像表示ユニット１の例としては、液晶ディスプレー（Ｌｉｑｕｉｄ  Ｃｒｙｓｔａｌ  Ｄｉｓｐｌａｙ，ＬＣＤ）、プラズマディスプレー板（Ｐｌａｓｍａ  Ｄｉｓｐｌａｙ  Ｐａｎｅｌ，ＰＤＰ）、表面伝導型電子放出素子ディスプレイ（Ｓｕｒｆａｃｅ  ｃｏｎｄｕｃｔｉｏｎ  Ｅｌｅｃｔｒｏｎ−ｅｍｉｔｔｅｒ  Ｄｉｓｐｌａｙ，ＳＥＤ）、電界放出ディスプレイ（Ｆｉｅｌｄ  Ｅｍｉｓｓｉｏｎ  Ｄｉｓｐｌａｙ，ＦＥＤ）、蛍光表示管（Ｖａｃｕｕｍ  Ｆｌｕｏｒｅｓｃｅｎｔ  Ｄｉｓｐｌａｙ，ＶＦＤ）、有機ＥＬディスプレイ（Ｏｒｇａｎｉｃ  Ｌｉｇｈｔ−Ｅｍｉｔｔｉｎｇ  Ｄｉｏｄｅ，ＯＬＥＤ）、電子ペーパー（Ｅ−Ｐａｐｅｒ）などのような表示装置が挙げられる。
【００２０】
映像切換ユニット２は、映像表示ユニット１の表面に設けられ、第１基板２１と、第２基板２２と、エレクトロクロミズムユニット２３とを備えている。
【００２１】
第１基板２１の下表面には、第１導電素子２１１が設けられ、且つ第２基板２２の上表面には、第２導電素子２２１が設けられ、ここでの第１導電素子２１１及び第２導電素子２２１は、上記各基板２１、２２の表面を覆う片状部材で実施してもよい。これ以外にも、上記各導電素子２１１、２２１は、同時に所定間隔を隔てて順次交互に配列した縞状部材で実施してもよいし、択一的に所定間隔を隔てて順次交互に配列した縞状部材で実施してもよい（図５〜図７を参照する）。なお、上記第１基板２１と上記第２基板２２の材質は、ガラス、若しくは樹脂、ポリエチレンテレフタラート（Ｐｏｌｙｅｔｈｙｌｅｎｅ  Ｔｅｒｅｐｈｔｈａｌａｔｅ，ＰＥＴ）、ポリカーボネート（Ｐｏｌｙ  Ｃａｒｂｏｎａｔｅ，ＰＣ）、ポリエチレン（ｐｏｌｙｅｔｈｙｌｅｎｅ，ＰＥ）、ポリ塩化ビニル（Ｐｏｌｙ  Ｖｉｎｙｌ  Ｃｈｌｏｒｉｄｅ，ＰＶＣ）、ポリプロピレン（Ｐｏｌｙ  Ｐｒｏｐｙｌｅｎｅ，ＰＰ）、ポリスチレン（Ｐｏｌｙ  Ｓｔｙｒｅｎｅ，ＰＳ）、ポリメタクリル酸メチル（Ｐｏｌｙｍｅｔｈｙｌｍｅｔｈａｃｒｙｌａｔｅ，ＰＭＭＡ）からなる群から選ばれる何れか１種又は２種以上を混合させたプラスチック重合体が好ましく用いられる。そして、上記第１導電素子２１１と第２導電素子２２１の材質は、インジウム錫酸化物（Ｉｎｄｉｕｍ  Ｔｉｎ  Ｏｘｉｄｅ，ＩＴＯ）、インジウム亜鉛酸化物（Ｉｎｄｉｕｍ  Ｚｉｎｃ  Ｏｘｉｄｅ，ＩＺＯ）、アルミニウム亜鉛酸化物（Ａｌ−ｄｏｐｅｄ  ＺｎＯ，ＡＺＯ）、アンチモン錫酸化物（Ａｎｔｉｍｏｎｙ  Ｔｉｎ  Ｏｘｉｄｅ，ＡＴＯ）からなる不純物ドープ酸化物（Ｉｍｐｕｒｉｔｙ−Ｄｏｐｅｄ  Ｏｘｉｄｅｓ）の群から選ばれる何れか１種の不純物ドープ酸化物が好ましく用いられ、また、カーボンナノチューブ（ｃａｒｂｏｎ  ｎａｎｏｔｕｂｅ）でも好ましく用いられる。
【００２２】
上記エレクトロクロミズムユニット２３は、第１エレクトロクロミズム層２３１と、第２エレクトロクロミズム層２３２とを有し、第１エレクトロクロミズム層２３１は、垂直方向に沿って第２エレクトロクロミズム層２３２の上方に積層してもよい。また、第１エレクトロクロミズム層２３１及び第２エレクトロクロミズム層２３２が所定間隔を隔てて順次交互に水平に並列配置してもよい。エレクトロクロミズムユニット２３は、ソルゲル（ｓｏｌ−ｇｅｌ）法、スパッタリング（ｓｐｕｔｔｅｒｉｎｇ）法、電解メッキ（ｐｌａｔｉｎｇ）法、スクリーン印刷法、溶射・塗装法、陽極酸化処理法 （Ａｎｏｄｉｚｉｎｇ）、光誘起重合法（ｐｈｏｔｏｐｏｌｙｍｅｒｉｚａｔｉｏｎ）、レーザーエッチング法などを使用して第１導電素子２１１と前記第２導電素子２２１との間に設けることができる。また、上記各エレクトロクロミズム層２３１、２３２の材質は、陽極着色（ａｎｏｄｉｃ  ｃｏｌｏｒａｔｉｏｎ）材料、陰極着色（ｃａｔｈｏｄｉｃ  ｃｏｌｏｒａｔｉｏｎ）材料、陽極／陰極着色（ａｎｏｄｉｃ  ／  ｃａｔｈｏｄｉｃ  ｃｏｌｏｒａｔｉｏｎ）材料からなる遷移金属酸化物や有機化合物の群から選ばれる何れか１種化合物が好ましく用いられる。ここで注意すべき点としては、上記第１エレクトロクロミズム層２３１と、上記第２エレクトロクロミズム層２３２の色とが、互いに相補性を有することにある。例えば、上記第１エレクトロクロミズム層２３１の材質は陽極着色（ａｎｏｄｉｃ  ｃｏｌｏｒａｔｉｏｎ）材料を採用した場合、上記第２エレクトロクロミズム層２３２の材質は、陰極着色（ｃａｔｈｏｄｉｃ  ｃｏｌｏｒａｔｉｏｎ）材料を採用する。逆に、上記第１エレクトロクロミズム層２３１の材質は陰極着色（ｃａｔｈｏｄｉｃ  ｃｏｌｏｒａｔｉｏｎ）材料を採用した場合、上記第２エレクトロクロミズム層２３２の材質は、陽極着色（ａｎｏｄｉｃ  ｃｏｌｏｒａｔｉｏｎ）材料を採用しても構わない。或いは、上記第１エレクトロクロミズム層２３１及び上記第２エレクトロクロミズム層２３２の材質は、陽極／陰極着色（ａｎｏｄｉｃ  ／  ｃａｔｈｏｄｉｃ  ｃｏｌｏｒａｔｉｏｎ）材料を同時に採用してもよい。一般的に言えば、陽極着色（ａｎｏｄｉｃ  ｃｏｌｏｒａｔｉｏｎ）材料の例としては、酸化クロム（Ｃｒ2Ｏ3）、酸化ニッケル（ＮｉＯx）、酸化イリジウム（ＩｒＯ2）、酸化マンガン（ＭｎＯ2）、ヘキサシアノ鉄（ＩＩ）酸鉄（ＩＩＩ）（Ｆｅ4［Ｆｅ（ＣＮ）6］3）、水酸化ニッケル（Ｎｉ（ＯＨ）2）からなる陽極着色（ａｎｏｄｉｃ  ｃｏｌｏｒａｔｉｏｎ）材料の遷移金属酸化物の群から選ばれる何れか１種の遷移金属酸化物が挙げられる。また、陰極着色（ｃａｔｈｏｄｉｃ  ｃｏｌｏｒａｔｉｏｎ）材料の例としては、酸化タングステン（ＷＯ3）、酸化モリブデン（ＭｏＯ3）、酸化ニオブ（Ｎｂ2Ｏ3）、酸化チタン（ＴｉＯ2）、チタン酸ストロンチウム（ＳｒＴｉＯ3）からなる遷移金属酸化物の群から選ばれる何れか１種の陰極着色（ｃａｔｈｏｄｉｃ  ｃｏｌｏｒａｔｉｏｎ）材料の遷移金属酸化物が挙げられる。そして、陽極／陰極着色（ａｎｏｄｉｃ  ／  ｃａｔｈｏｄｉｃ  ｃｏｌｏｒａｔｉｏｎ）材料の例としては、五酸化二バナジウム（Ｖ2Ｏ5）���酸化ロジウム（Ｒｈ2Ｏ3）、酸化コバルト（ＣｏＯx）からなる遷移金属酸化物の群から選ばれる何れか１種の陽極／陰極着色材料の遷移金属酸化物が挙げられる。また、他にも固体電解質やイオン伝導層として利用される五酸化二タンタル（Ｔａ2Ｏ5）などの遷移金属酸化物が挙げられる。
【００２３】
下記の表１には、エレクトロクロミズム材料として広範に用いられている遷移金属酸化物を種類別にまとめたものを例示する。
【００２４】
【表１】
2012078767.tif 000003
【００２５】
これらのエレクトロクロミズム材料は、電圧印加あるいは電流を通じることによって、可逆的な酸化・還元反応を起こさせ、可逆的に色が変化する特性を持つ。電圧を上記エレクトロクロミズムユニット２３の上記第１エレクトロクロミズム層２３１、上記第２エレクトロクロミズム層２３２に印加することによって、最初に上記第２エレクトロクロミズム層２３２内に貯えたイオンが拡散して上記第１エレクトロクロミズム層２３１に移動すると同時に、電子が上記第１導電素子２１１を通過して上記第１エレクトロクロミズム層２３１に注入する。これにより、上記各エレクトロクロミズム層２３１、２３２の電気的な中性を保つことが可能となる。電子とイオンを上記第１エレクトロクロミズム層２３１及び上記第２エレクトロクロミズム層２３２に注入したことによって、前記エレクトロクロミズム材料の酸化・還元状態を変化することができる。これにより、上記エレクトロクロミズムユニット２３の屈折率や透過率を変化させる発色過程では、応答時間が数秒から一分内で完成することができる。
【００２６】
図３を併せて参照して、上記エレクトロクロミズムユニット２３が透明状態から発色状態になって、非透光性の遮光領域を形成して、上記エレクトロクロミズムユニット２３に電圧印加を休止すると、上記エレクトロクロミズムユニット２３が発色状態から透明状態に戻す。この場合、上記エレクトロクロミズムユニット２３に反対相位電圧を印加したり、電圧を０（印加しない)にすれば、イオンが逆方向に沿って上記第１エレクトロクロミズム層２３１を通過して上記第２エレクトロクロミズム層２３２まで戻ることができる。これにより、上記エレクトロクロミズムユニット２３は元の無色状態に還元する消色過程という。以上、陽極着色法について説明した。
【００２７】
また、図４を参照して、上記エレクトロクロミズムユニット２３の深色化した遮光領域が発色状態から透明状態になって、上記エレクトロクロミズムユニット２３に電圧印加を休止すると、上記エレクトロクロミズムユニット２３が透明状態から発色状態に戻して、元の深色化した遮光領域に還元する。以上、陰極着色法について説明した。
【００２８】
そのため、本発明は、上記第１導電素子２１１と上記第２導電素子２２１の電気伝導性が変化して上記各導電素子２１１、２２１の間には電気的に接続している状態になったため、上記エレクトロクロミズムユニット２３の色が変化して、所定間隔おきに配置された複数の深色化した遮光領域が形成される。上記映像表示ユニット１が処理された多重化映像（右眼用映像Ｌと左眼用映像Ｒに分けた映像）を表示させる時、該複数の遮光領域によって部分的に重なった映像領域が除去されることができるから、右眼用映像と左眼用映像に分けた立体映像を肉眼で視認した時、干渉波を生じないし、高画質な立体映像を表示させることができる。
【００２９】
本実施形態に係る映像切換ユニットの積層構造の一例を示す異なる横断面図は、図５、図６と図７に示すように、これらの図を参照して、上記第１導電素子２１１が、第１基板２１の下表面に所定間隔で複数に配列した縞状部材であってもよいし、又は上記第２導電素子２２１が、第２基板２２の上表面に所定間隔で複数に配列した縞状部材であってもよい。さらに、上記第１導電素子２１１及び上記第２導電素子２２１が、それぞれに第１基板２１と第２基板２２の表面に所定間隔を隔てて順次交互に配列した縞状部材であっても構わない、且つその配列方向を、上記各エレクトロクロミズム層２３１、２３２の配置方向と一致させて、上記各エレクトロクロミズム層２３１、２３２及び上記各導電素子２１１、２２１が順次に積層する。このような積層構造は、第１実施形態の変形例でである。この構成によれば、製造プロセスが簡略化されるので、上記各エレクトロクロミズム層２３１、２３２が層状積層構造内に所定間隔で複数に配置することだけで、よりエレクトロクロミズム機能に優れた機能性が得られ、優れた遮光効果も奏される。
【００３０】
（第２実施形態）
本発明の第２実施形態に係る映像切換ユニットの積層構造を図８と図９を参照して説明する。図８は、本実施形態に係る映像切換ユニットの積層構造の一例を示す横断面図１である。図９は、本実施形態に係る映像切換ユニットの積層構造の他の一例を示す横断面図２である。上記の第１実施形態に比べて、本実施形態においては、上記各エレクトロクロミズム層２３１、２３２のそれぞれの組み合わせた層と層との間には、複数個の隔壁部２５をさらに有し、且つ当該隔壁部２５は、上記各エレクトロクロミズム層２３１、２３２の強度を増加させて使用寿命を延長するが可能になる。また、該隔壁部２５を実現するには、フォトレジストを採用してもよい。
【００３１】
（第３実施形態）
本発明の第３実施形態による２Ｄ／３Ｄ映像切換表示装置の構造を図１０乃至図１２を参照して説明する。図１０は、本実施形態の２Ｄ／３Ｄ映像切換表示装置の構造の分解斜視図である。図１１は、本実施形態に係る映像切換ユニットの一例の切換え状態及び構造を説明する横断面図１である。図１２は、本実施形態に係る映像切換ユニットの一例の切換え状態及び構造を説明する横断面図２である。本実施形態の２Ｄ／３Ｄ映像切換表示装置の構造は、第１実施形態に比べて上記映像切換ユニット２は、第１基板２１と、第３基板２４とを備えるという構成上の相違点がある。以下、相違点を中心にして第３実施形態を説明する。第１実施形態とは異なっている上記第３基板２４の一方の表面には、上記第１基板２１の表面に対応するための所定間隔を隔てて順次交互に配列された第３導電素子２４１及び前記第４導電素子２４２が設けられ、他方の表面では、上記映像表示ユニット１の表面に接合するために用いられる。
【００３２】
また、上記映像切換ユニット２の上記エレクトロクロミズムユニット２３は、上記第３導電素子２４１と上記第４導電素子２４２との間に設けられる。上記第１エレクトロクロミズム層２３１及び上記第２エレクトロクロミズム層２３２が、所定間隔を隔てて順次交互に配置されており、また、上記第１エレクトロクロミズム層２３１の一側面が、上記第３導電素子２４１に接合しており、且つ上記第２エレクトロクロミズム層２３２の一側面が、上記第４導電素子２４２に接合している。従って、上記第１エレクトロクロミズム層２３１及び上記第２エレクトロクロミズム層２３２が水平に並列配置されており、構造全体の厚さを効果的に薄くすると同時に、光取り出し効率を向上させることができる。例えば、上記第１エレクトロクロミズム層２３１の材質は陰極着色（ｃａｔｈｏｄｉｃ  ｃｏｌｏｒａｔｉｏｎ）材料を採用した場合、上記第２エレクトロクロミズム層２３２の材質は、陽極着色（ａｎｏｄｉｃ  ｃｏｌｏｒａｔｉｏｎ）材料を採用する。勿論、第１エレクトロクロミズム層２３１、第２エレクトロクロミズム層２３２の材質の採用は逆でも可能。上記第１エレクトロクロミズム層２３１が発色反応を行うと同時に、上記第２エレクトロクロミズム層２３２も発色反応を行う。それに対して、上記第１エレクトロクロミズム層２３１が消色反応に進むと同時に上記第２エレクトロクロミズム層２３２も消色反応に進行する。
【００３３】
本実施形態に係る映像切換ユニットの積層構造の一例を示す異なる横断面図は、図１３と図１４に示すように、これらの図を参照して、上記第１エレクトロクロミズム層２３１の一側面及び上記第２エレクトロクロミズム層２３２の一側面が、所定間隔を隔てて順次交互に配置されておる。上記第１エレクトロクロミズム層２３１の他の側面及び上記第２エレクトロクロミズム層２３２の他の側面の長さは、長手方向において上記各導電素子２４１、２４２の長さと等しいか又はそれより小さい。例えば、上記第１エレクトロクロミズム層２３１の右側面が上記第２エレクトロクロミズム層２３２の左側面に係合し、その延出長さは、上記第３導電素子２４１の長さと等しいか又はそれより小さい。図１３には、上記第１エレクトロクロミズム層２３１の左側面の延出長さは上記第３導電素子２４１の長さより小さい構成が表示されている。ここで注意すべき点として、本段落に述べた左側面と右側面は、単にその長さの相対関係を実例として説明に用いるものであって、何ら本発明に係るエレクトロクロミズム層や導電素子などの配置関係を制限するものでないことを理解されたい。
【００３４】
また、上記第１エレクトロクロミズム層２３１及び上記第２エレクトロクロミズム層２３２は、上記第３導電素子２４１と上記第４導電素子２４２との間に直接に設けられているので、即ち、既知の多層積層の配置方式から水平に並列配置方式に変化することによって、構造全体の厚さを効果的に薄くすると同時に、光取り出し効率を向上させることができる。また、前述した実施形態に比較して、厚さの低減はより一層顕著になる。
【００３５】
（第４実施形態）
本発明の第４実施形態に係る映像切換ユニットの積層構造を図１５と図１６を参照して説明する。図１５は、本実施形態に係る映像切換ユニットの積層構造の一例を示す横断面図１である。図１６は、本実施形態に係る映像切換ユニットの積層構造の他の一例を示す横断面図２である。上記の第３実施形態に比べて、本実施形態においては、上記各エレクトロクロミズム層２３１、２３２のそれぞれの組み合わせた層と層との間には、複数個の隔壁部２５をさらに有し、且つ当該隔壁部２５は、上記各エレクトロクロミズム層２３１、２３２の強度を増加させて使用寿命を延長するが可能になる。また、該隔壁部２５を実現するには、フォトレジストを採用してもよい。
【００３６】
（第５実施形態）
本発明の第５実施形態による２Ｄ／３Ｄ映像切換表示装置の構造を図１７乃至図１９を参照して説明する。図１７は、本実施形態の２Ｄ／３Ｄ映像切換表示装置の構造の分解斜視図である。図１８は、本実施形態に係る映像切換ユニットの一例の切換え状態及び構造を説明する横断面図１である。図１９は、本実施形態に係る映像切換ユニットの一例の切換え状態及び構造を説明する横断面図２である。本実施形態の２Ｄ／３Ｄ映像切換表示装置の構造は、前述した実施形態に比べて上記第１基板２１の下表面には、所定間隔で複数に配列された第１導電素子２１１が設けられ、且つ上記第２基板２２の上表面には、所定間隔で複数に配列された第２導電素子２２１が設けられ、また、第１導電素子２１１及び第２導電素子２２１は、それぞれに所定間隔を隔てて順次交互に配列されたという構成上の相違点がある。
【００３７】
また、上記エレクトロクロミズムユニット２３は、上記第１導電素子２１１と上記第２導電素子２２１との間に設けられる。上記第１エレクトロクロミズム層２３１及び上記第２エレクトロクロミズム層２３２が、相互に係合しており、上記第１エレクトロクロミズム層２３１の一側面或いは上表面が、上記第１導電素子２１１に接合し、且つ上記第２エレクトロクロミズム層２３２の一側面或いは下表面が、上記第２導電素子２２１に接合するように構成される。従って、上記エレクトロクロミズムユニット２３の上記第１エレクトロクロミズム層２３１及び上記第２エレクトロクロミズム層２３２が水平に並列配置されており、構造全体の厚さを効果的に薄くすると同時に、光取り出し効率を向上させることができる。例えば、上記第１エレクトロクロミズム層２３１の材質は陰極着色（ｃａｔｈｏｄｉｃ  ｃｏｌｏｒａｔｉｏｎ）材料を採用した場合、上記第２エレクトロクロミズム層２３２の材質は、陽極着色（ａｎｏｄｉｃ  ｃｏｌｏｒａｔｉｏｎ）材料を採用する。勿論、第１エレクトロクロミズム層２３１、第２エレクトロクロミズム層２３２の材質の採用は逆でも可能。上記第１エレクトロクロミズム層２３１が発色反応を行うと同時に、上記第２エレクトロクロミズム層２３２も発色反応を行う。それに対して、上記第１エレクトロクロミズム層２３１が消色反応に進むと同時に上記第２エレクトロクロミズム層２３２も消色反応に進行する。
【００３８】
図１８に示すように、上記各エレクトロクロミズム層２３１、２３２が透明状態から発色状態になって、非透光性の深色化した遮光領域を形成して、上記各エレクトロクロミズム層２３１、２３２に電圧印加を休止すると、上記各エレクトロクロミズム層２３１、２３２が発色状態から透明状態に戻す。以上、陽極着色法という。また、図１９に示すように、上記各エレクトロクロミズム層２３１、２３２の深色化した遮光領域が発色状態から透明状態になって、上記各エレクトロクロミズム層２３１、２３２に電圧印加を休止すると、上記各エレクトロクロミズム層２３１、２３２が透明状態から発色状態に戻して、元の深色化した遮光領域に還元する。以上、陰極着色法という。
【００３９】
図２０に表示されている第５実施形態の変形例を参照し、上記各導電素子２１１、２２１が上記各エレクトロクロミズム層２３１、２３２内に嵌合する。さらに、上記各エレクトロクロミズム層２３１、２３２と接合する時の接触面積を増加させるために、図２１を示すように、上記第１エレクトロクロミズム層２３１の表面及び上記第２エレクトロクロミズム層２３２の表面には、それぞれ延伸部２３３、２３４が設けられ、上記第１エレクトロクロミズム層２３１及び上記第２エレクトロクロミズム層２３２のそれぞれの該延伸部２３３、２３４が互いに対して係合するように配置され、より広く接触面積が増えるにつれて色変化の応答速度を高めることができる。
【００４０】
（第６実施形態）
本発明の第６実施形態による２Ｄ／３Ｄ映像切換表示装置の構造を図２２乃至図２４を参照して説明する。図２２は、本実施形態の２Ｄ／３Ｄ映像切換表示装置の構造の分解斜視図である。図２３は、本実施形態に係る映像切換ユニットの一例の切換え状態及び構造を説明する横断面図１である。図２４は、本実施形態に係る映像切換ユニットの一例の切換え状態及び構造を説明する横断面図２である。本実施形態の２Ｄ／３Ｄ映像切換表示装置の構造は、前述した実施形態に比べて上記第１エレクトロクロミズム層２３１の表面及び上記第２エレクトロクロミズム層２３２の表面には、それぞれ延伸部２３３、２３４が設けられ、これらの延伸部２３３、２３４が設けることによって、上記第１エレクトロクロミズム層２３１及び上記第２エレクトロクロミズム層２３２が互いに対して係合するように配置された場合、より広く接触面積が増えるにつれて色変化の応答速度を高めることができる。
【００４１】
また、上記第１エレクトロクロミズム層２３１及び上記第２エレクトロクロミズム層２３２は、上記各導電素子２４１、２４２との間に直接に設けられているので、即ち、上記第１エレクトロクロミズム層２３１及び上記第２エレクトロクロミズム層２３２が互いに係合するように配置されている。この場合、その互いに係し合う側面と異なる他の側面に上記各導電素子２４１、２４２を設けるのが好ましい。これにより、上記各導電素子２４１、２４２と上記各エレクトロクロミズム層２３１、２３２がそれぞれ同じ水平方向に配置して構成されていることから、構造全体の厚さを効果的に薄くすると同時に、光取り出し効率を向上させることができる。
【００４２】
図２３に示すように、上記各エレクトロクロミズム層２３１、２３２が透明状態から発色状態になって、非透光性の深色化した遮光領域を形成して、上記各エレクトロクロミズム層２３１、２３２に電圧印加を休止すると、上記各エレクトロクロミズム層２３１、２３２が発色状態から透明状態に戻す。以上、陽極着色法という。また、図２４に示すように、上記各エレクトロクロミズム層２３１、２３２の深色化した遮光領域が発色状態から透明状態になって、上記各エレクトロクロミズム層２３１、２３２に電圧印加を休止すると、上記各エレクトロクロミズム層２３１、２３２が透明状態から発色状態に戻して、元の深色化した遮光領域に還元する。以上、陰極着色法という。
【００４３】
本実施形態に係る映像切換ユニットの積層構造の一例を示す異なる横断面図は、図２５と図２６に示すように、これらの図を参照して、上記各導電素子２４１、２４２は、上記各エレクトロクロミズム層２３１、２３２の下表面に配列してもよい。上記第１エレクトロクロミズム層２３１及び上記第２エレクトロクロミズム層２３２が互いに係合するように配置されている。この場合、その互いに係し合う側面と異なる他の側面の長さは、長手方向において上記各導電素子２４１、２４２の長さと等しいか又はそれより小さい。例えば、上記第１エレクトロクロミズム層２３１の右側面が上記第２エレクトロクロミズム層２３２の左側面に係合し、その左側面の延出長さは、上記第３導電素子２４１の長さと等しいか又はそれより小さい。図２５には、上記第１エレクトロクロミズム層２３１の左側面の延出長さは上記第３導電素子２４１の長さと等しい構成が表示されている。また、図２６には、上記第１エレクトロクロミズム層２３１の左側面の延出長さは上記第３導電素子２４１の長さより小さい構成が表示されている。ここで注意すべき点として、本段落に述べた左側面と右側面は、単にその長さの相対関係を実例として説明に用いるものであって、何ら本発明に係るエレクトロクロミズム層や導電素子などの配置関係を制限するものでないことを理解されたい。
【００４４】
唯、以上に述べたことは、単に本発明を実施するための最良の形態の項においてなした具体的な実施態様または実施例であり、あくまでも、本発明の技術内容を明らかにするものであって、そのような具体例にのみ限定して狭義に解釈されるべきものではなく、当業者は、本発明の精神及び添付の特許請求の範囲内でいろいろと変更して実施することができるものである。
【００４５】
以上説明したように本発明に係る改良された２Ｄ／３Ｄ映像切換表示装置の構造は、特許に基づいての新規性、進歩性及び産業上の利用可能性を具備することから、特許に値するものと確信しますので、出願人より、特許法の規定に従って、考案特許として特許庁に出願する。
【符号の説明】
【００４６】
１・・・・・・映像表示ユニット
２・・・・・・映像切換ユニット
２１・・・・・第１基板
２１１・・・・第１導電素子
２２・・・・・第２基板
２２・・・・・１第２導電素子
２３・・・・・エレクトロクロミズムユニット
２３１・・・・第１エレクトロクロミズム層
２３２・・・・第２エレクトロクロミズム層
２３３、２３４・・・延伸部
２４・・・・・第３基板
２４１・・・・第３導電素子
２４２・・・・第４導電素子
２５・・・・・隔壁部
【図１】
2012078767.tif 000004
【図２】
2012078767.tif 000005
【図３】
2012078767.tif 000006
【図４】
2012078767.tif 000007
【図５】
2012078767.tif 000008
【図６】
2012078767.tif 000009
【図７】
2012078767.tif 000010
【図８】
2012078767.tif 000011
【図９】
2012078767.tif 000012
【図１０】
2012078767.tif 000013
【図１１】
2012078767.tif 000014
【図１２】
2012078767.tif 000015
【図１３】
2012078767.tif 000016
【図１４】
2012078767.tif 000017
【図１５】
2012078767.tif 000018
【図１６】
2012078767.tif 000019
【図１７】
2012078767.tif 000020
【図１８】
2012078767.tif 000021
【図１９】
2012078767.tif 000022
【図２０】
2012078767.tif 000023
【図２１】
2012078767.tif 000024
【図２２】
2012078767.tif 000025
【図２３】
2012078767.tif 000026
【図２４】
2012078767.tif 000027
【図２５】
2012078767.tif 000028
【図２６】
2012078767.tif 000029